(57)【要約】【課題】美的外観に優れるとともに、太陽電池による十分な発電量を確保した時計を提供すること。【解決手段】本発明の時計１は、入射した光の一部を透過する文字板６と、太陽電池８とを備えたソーラー時計である。文字板６と太陽電池８との間には、導光部材７が設けられている。導光部材７は、文字板６の外周部付近に設けられた光入射部７５と、文字板６と対向する面側に設けられ、光入射部７５から導かれた光を、一部反射するとともに一部透過する機能を有する第１の反射透過部７７と、太陽電池８と対向する面側に設けられ、光入射部７５から導かれた光を、一部反射するとともに一部透過する機能を有する第２の反射透過部７８とを備えたものである。【選択図】図１
2008139120.tif 000002
【特許請求の範囲】
【請求項１】
入射した光の一部を透過する文字板と、太陽電池とを備えた時計であって、
前記文字板と前記太陽電池との間に、少なくともその一部が配されるように設けられた導光部材を有し、
前記導光部材は、前記文字板の外周部付近に設けられた光入射部と、
前記文字板と対向する面側に設けられ、前記光入射部から導かれた光を、一部反射するとともに一部透過する機能を有する第１の反射透過部と、
前記太陽電池と対向する面側に設けられ、前記光入射部から導かれた光を、一部反射するとともに一部透過する機能を有する第２の反射透過部とを備えたものであることを特徴とする時計。
【請求項２】
前記導光部材は、前記文字板と前記太陽電池との間に配された部分において、端部付近の厚さに比べて中央部付近の厚さが薄いものである請求項１に記載の時計。
【請求項３】
前記導光部材の前記文字板と対向する面が、円錐面または曲面である請求項１または２に記載の時計。
【請求項４】
前記導光部材の前記太陽電池と対向する面が、円錐面または曲面である請求項１ないし３のいずれかに記載の時計。
【請求項５】
前記曲面は、変極点を有するものである請求項３または４に記載の時計。
【請求項６】
前記導光部材は、前記文字板を収納する凹部を有している請求項１ないし５のいずれかに記載の時計。
【請求項７】
前記文字板は、主としてガラス繊維で構成されたガラス繊維シートと、
前記ガラス繊維シートの一方の主面である第１の面側に設けられた第１の膜と、
前記ガラス繊維シートの他方の主面である第２の面側に設けられた第２の膜とを有するものであり、
前記ガラス繊維シートは、前記第１の面の表面付近に設けられ、前記第１の膜の少なくとも一部が入り込んだ第１の領域と、前記第２の面の表面付近に設けられ、前記第２の膜の少なくとも一部が入り込んだ第２の領域と、前記第１の領域と前記第２の領域との間に設けられ、前記第１の膜および前記第２の膜が入り込んでいない第３の領域とを有するものである請求項１ないし６のいずれかに記載の時計。
【請求項８】
時計は、腕時計である請求項１ないし７のいずれかに記載の時計。
【発明の詳細な説明】
【技術分野】
【０００１】
本発明は、時計に関するものである。
【背景技術】
【０００２】
時計は、実用品としての機能が求められるとともに、装飾品としての装飾性（美的外観）が求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められている。
具体的には、ソーラー時計用文字板は、光透過性に関して、時計を駆動するのに十分な量の光を、その下部に配置された太陽電池に透過して供するものである一方、装飾品としての装飾性も求められている。
【０００３】
従来、ソーラー時計では、太陽電池に十分な光量の光を入射させるために、太陽電池そのものを文字板として利用したり、太陽電池上に有色の部材（特に濃色の部材）が配されないように文字板の形状を設計し、当該文字板として太陽電池の自色（通常、黒色〜紫色）に類似した色のものが用いられてきた。
しかしながら、近年、ソーラー時計においても、時計の仕様等に応じて、様々な色調の文字板を採用することについての強い要望がある。
【０００４】
太陽電池が文字板を介して透けて見えてしまうのを防止することを試みた文字板としては、プラスチック性の基板の一方の面上に、金属材料で構成され、光を透過させるための小孔を有する金属層を設ける試みがある（特許文献１参照）。しかしながら、十分な光量の外光を取り入れるためには、小孔の１個当たりの大きさを大きくしたり、単位面積あたりの小孔の数を十分に多くしたりすること等により、光が透過し得る部分の総面積（複数個の小孔面積の和）を大きくする必要がある。このような場合、文字板の外観上小孔が目立ってしまい、このような文字板を備えた時計は、審美性（美的外観）の劣ったものとなってしまう。また、文字板の美的外観を向上させる目的で、小孔の１個当たりの大きさを小さくしたり、単位面積あたりの小孔の数を少なくしたりすると、十分な光量の外光を透過させることが困難になる。
このように、従来においては、優れた装飾性（美的外観）と、太陽電池による十分な発電量とを、十分に両立するソーラー時計（太陽電池を備えた時計）を得るのは困難であった。
【０００５】
【特許文献１】特開平１１−３２６５４９号公報
【発明の開示】
【発明が解決しようとする課題】
【０００６】
本発明の目的は、美的外観に優れるとともに、太陽電池による十分な発電量を確保した時計を提供することにある。
【課題を解決するための手段】
【０００７】
このような目的は、下記の本発明により達成される。
本発明の時計は、入射した光の一部を透過する文字板と、太陽電池とを備えた時計であって、
前記文字板と前記太陽電池との間に、少なくともその一部が配されるように設けられた導光部材を有し、
前記導光部材は、前記文字板の外周部付近に設けられた光入射部と、
前記文字板と対向する面側に設けられ、前記光入射部から導かれた光を、一部反射するとともに一部透過する機能を有する第１の反射透過部と、
前記太陽電池と対向する面側に設けられ、前記光入射部から導かれた光を、一部反射するとともに一部透過する機能を有する第２の反射透過部とを備えたものであることを特徴とする。
これにより、十分な光量の外光を太陽電池に供給することができ、かつ、美的外観に優れた時計（ソーラー時計）を提供することができる。
【０００８】
本発明の時計では、前記導光部材は、前記文字板と前記太陽電池との間に配された部分において、端部付近の厚さに比べて中央部付近の厚さが薄いものであることが好ましい。
これにより、光入射部から入射した光を、より効率よく、文字板および太陽電池に導くことができる。その結果、時計の美的外観を特に優れたものとすることができるとともに、太陽電池による発電効率の更なる向上を図ることができる。
【０００９】
本発明の時計では、前記導光部材の前記文字板と対向する面が、円錐面または曲面であることが好ましい。
これにより、光入射部から入射した光を、より効率よく、文字板および太陽電池に導くことができる。その結果、時計の美的外観を特に優れたものとすることができるとともに、太陽電池による発電効率の更なる向上を図ることができる。
【００１０】
本発明の時計では、前記導光部材の前記太陽電池と対向する面が、円錐面または曲面であることが好ましい。
これにより、光入射部から入射した光を、より効率よく、文字板および太陽電池に導くことができる。その結果、時計の美的外観を特に優れたものとすることができるとともに、太陽電池による発電効率の更なる向上を図ることができる。
【００１１】
本発明の時計では、前記曲面は、変極点を有するものであることが好ましい。
これにより、文字板の各部位において、好適な輝度分布をもたせることができ、時計の装飾性（美的外観）を特に優れたものとすることができる。
本発明の時計では、前記導光部材は、前記文字板を収納する凹部を有していることが好ましい。
これにより、時計の使用時等において、文字板と導光部材とが相対的に移動してしまうのを確実に防止することができ、時計の美的外観を、安定的に優れたものとすることができる。
【００１２】
本発明の時計では、前記文字板は、主としてガラス繊維で構成されたガラス繊維シートと、
前記ガラス繊維シートの一方の主面である第１の面側に設けられた第１の膜と、
前記ガラス繊維シートの他方の主面である第２の面側に設けられた第２の膜とを有するものであり、
前記ガラス繊維シートは、前記第１の面の表面付近に設けられ、前記第１の膜の少なくとも一部が入り込んだ第１の領域と、前記第２の面の表面付近に設けられ、前記第２の膜の少なくとも一部が入り込んだ第２の領域と、前記第１の領域と前記第２の領域との間に設けられ、前記第１の膜および前記第２の膜が入り込んでいない第３の領域とを有するものであることが好ましい。
これにより、時計の美的外観を特に優れたものとすることができるとともに、太陽電池による発電効率の更なる向上を図ることができる。
【００１３】
本発明の時計は、腕時計であることが好ましい。
腕時計は、一般に、使用される環境の条件が一定ではなく、様々な環境下において優れた装飾性、実用性が求められるものである。そして、特に、ソーラー腕時計は、各種ソーラー時計の中でも、優れた装飾性が求められるものであるとともに、太陽電池において十分な発電が行なわれることが求められるものである。したがって、本発明は、各種時計（ソーラー時計）の中でも、特に、腕時計に好適に適用することができる。
【発明の効果】
【００１４】
本発明によれば、美的外観に優れるとともに、太陽電池による十分な発電量を確保した時計を提供することができる。
【発明を実施するための最良の形態】
【００１５】
以下、本発明の好適な実施形態について、添付図面を参照しつつ説明する。
図１は、本発明の時計（腕時計）の好適な実施形態を示す部分断面図である。なお、本明細書で参照する図面は、構成の一部を強調して示したものであり、実際の寸法等を正確に反映したものではない。また、以下の説明では、図中の上側、すなわち時計においてカバーガラス５が設けられた側を、「上側」、図中の下側、すなわち時計においてカバーガラス５が設けられたのとは反対側を、「下側」として説明する。
【００１６】
図１に示すように、時計（腕時計）１は、胴（ケース）２と、裏蓋３と、ベゼル（縁）４と、ガラス板（カバーガラス）５とを備えている。また、ケース２内の空間（胴２と、裏蓋３と、ベゼル４と、ガラス板５により形成された空間）には、ガラス板５が設けられた側から順に、文字板６と、導光部材７と、太陽電池８と、ムーブメント９とが収納されており、さらに、針（指針）１０（時針１０１、分針１０２、秒針１０３）等が収納されている。
【００１７】
以下、時計１を構成する各部材について説明する。
胴（ケース）２、裏蓋３、および、ベゼル４の構成材料は、特に限定されず、各種金属材料（合金を含む）、各種樹脂材料（プラスチック材料）、各種セラミックス材料等が挙げられる。中でも、美的外観、強度などに優れることから、通常、金属材料が好適に用いられる。胴（ケース）２、裏蓋３、および、ベゼル４は、互いに、同一の材料で構成されたものであってもよいし、異なる材料で構成されたものであってもよい。
【００１８】
ガラス板５は、通常、透明性の高い透明ガラスやサファイア等で構成されている。これにより、装飾品としての時計の審美性（美的外観）を特に優れたものとすることができるとともに、太陽電池８に十分な光量の光を入射させることができる。
胴２には巻真パイプ１１が嵌入・固定され、この巻真パイプ１１内にはりゅうず１２の軸部１２１が回転可能に挿入されている。このりゅうず１２により、時針１０１および分針１０２の位置を調整することができる。
【００１９】
胴２とベゼル４とは、プラスチックパッキン１３により固定され、ベゼル４とガラス板５とはプラスチックパッキン１４により固定されている。
また、胴２に対し裏蓋３が嵌合（または螺合）されており、これらの接合部（シール部）１５には、リング状のゴムパッキン（裏蓋パッキン）１７が圧縮状態で介挿されている。この構成によりシール部１５が液密に封止され、防水機能が得られる。
【００２０】
りゅうず１２の軸部１２１の途中の外周には溝１２２が形成され、この溝１２２内にはリング状のゴムパッキン（りゅうずパッキン）１６が嵌合されている。ゴムパッキン１６は巻真パイプ１１の内周面に密着し、該内周面と溝１２２の内面との間で圧縮される。この構成により、りゅうず１２と巻真パイプ１１との間が液密に封止され防水機能が得られる。なお、りゅうず１２を回転操作したとき、ゴムパッキン１６は軸部１２１と共に回転し、巻真パイプ１１の内周面に密着しながら周方向に摺動する。
【００２１】
上記のような構成により、ケース２内の空間（胴２と、裏蓋３と、ベゼル４と、ガラス板５により形成された空間）は、液密に保持されている。
そして、ケース２内の空間には、文字板６と、導光部材７と、太陽電池８と、ムーブメント９とが設置されている。
文字板６は、入射した光の一部を透過するものである。これにより、文字板６のガラス板５側の面（第１の面）から入射した光を、所定の割合で透過するとともに、所定の割合で反射または吸収することができる。その結果、文字板６としての外観を優れたものとしつつ、発電に利用される光を太陽電池８に入射させることができる。
【００２２】
また、文字板６の外表面（第１の面）側には、図示しない時刻目盛りや装飾文字、マーク等が設けられている。
なお、文字板６の詳細な構成については、後に詳述する。
文字板６の第２の面側（太陽電池８に対向する面側）には、導光部材７が設けられている。言い換えると、文字板６と太陽電池８との間に、その一部が配されるように導光部材７が設けられている。
【００２３】
導光部材７は、文字板６の外周部に配された環状体７２と、文字板６と太陽電池８との間に配された板状体７３とを有し、これらが一体的に形成されてなるものである。
そして、環状体７２の内周面と、板状体７３の上面（文字板６に対向する側の面）により、凹部７１が形成されている。文字板の第２の面と、板状体７３の上面とが当接するように、凹部７１には、文字板６が嵌入している。これにより、時計１の使用時等において、文字板６と導光部材７とが相対的に移動してしまうのを確実に防止することができ、時計１の美的外観を、安定的に優れたものとすることができる。
【００２４】
環状体７２は、例えば、ダイヤルリング、見切りリング、見返しリングとして機能するものである。環状体７２は、その上面（ガラス板５に対向する側の面）に、外光（ガラス板５を透過した光）を導光部材内部に導く光入射部７５を有している。
また、ベゼル４を透明にすると、より効果的に多くの光を導光することができて、ベゼル４と導光部材７を透明体で一体化して構成しても良い。
【００２５】
光入射部７５から入射した光は、導光部材７の内部を進行し、導光部材７の表面付近での反射を繰り返しつつ、文字板６に対向する面側、および、太陽電池８に対向する面側から、導光部材７の外部に光を照射する。すなわち、導光部材７の文字板６に対向する面である第１の反射透過部７７から、文字板６に向けて光を照射するとともに、導光部材７の太陽電池に対向する面である第２の反射透過部７８から、太陽電池８に向けて光を照射する。
【００２６】
このように、文字板６の外側（外周）に照射された光を文字板６と太陽電池８との間に導き、導かれた光を文字板６と太陽電池８とに、振り分けて照射することにより、太陽電池８に照射される光を、発電に有効に利用することができるとともに、バックライト効果により、文字板６の視認性が向上し、特に優れた美的外観が得られる。特に、文字板６が入射した光の一部を透過する機能を有しているため、導光部材７により太陽電池８側に導かれた光と、文字板６を透過した光とが合わさり、太陽電池８に照射される光の強度は、特に大きなものとすることができる。その結果、太陽電池８での発電効率を特に優れたものとすることができる。
【００２７】
また、導光部材７により導かれた光の一部が、文字板６に向かって照射されるため、文字板６についての光の透過率が比較的高い場合であっても、太陽電池８等の文字板６の第２の面側に配された部材が使用者等により視認されるのを確実に防止することができる。すなわち、導光部材７によるバックライトの効果がない場合には、太陽電池８等の部材が容易に視認されてしまう程度に、文字板６についての光の透過率が高い場合であっても、太陽電池８等の文字板６の第２の面側に配された部材（太陽電池等）が使用者等により視認されるのを確実に防止することができる。このため、時計１全体として、太陽電池８に照射される光の強度を特に大きなものとすることができ、太陽電池８における発電効率を特に優れたものとすることができる。
【００２８】
また、導光部材７により導かれた光の一部が、太陽電池８に向かって照射されるため、文字板６についての光の透過率が比較的低い場合であっても、太陽電池８に十分な強度の光を照射することができる。このため、従来のソーラー時計では、適用することができなかった光の透過率の低い文字板を備えていても、本発明では、適用することができる。これにより、文字板６として、それ自体が本来備えている美的外観（すなわち、導光部材７によるバックライト効果が発揮されない状態での美的外観）を、特に優れたものとすることができるため、時計１に適用した際（すなわち、導光部材によるバックライト効果が発揮される状態）を、特に優れたものとすることができ、従来の時計においては実現するのが困難であった高級感を表現することができる。
【００２９】
このような導光部材７は、主として、光透過性を有する材料で構成されたものである。
導光部材７の構成材料としては、例えば、各種プラスチック、各種ガラス、各種セラミックス等を用いることができるが、導光部材７は、プラスチック（特に、耐熱性プラスチック）で構成されたものであるのが好ましい。これにより、例えば、導光部材７としての光の利用効率を十分に優れたものとしつつ、軽量で携帯しやすい時計１を提供することができる。また、例えば、比較的容易に、所望の形状に成形することができる。
【００３０】
導光部材７を構成するプラスチックとしては、各種熱可塑性樹脂、各種熱硬化性樹脂等が挙げられ、より具体的には、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００３１】
導光部材７を構成するガラスとしては、例えば、無アルカリガラス、ソーダガラス、結晶性ガラス、石英ガラス、鉛ガラス、カリウムガラス、ホウ珪酸ガラス等が挙げられ、これらのうちの１種または２種以上を組み合わせて用いることができる。
上記のような反射透過部（第１の反射透過部７７、第２の反射透過部７８）は、板状体７３の上に、光を一部反射し一部透過させる機能を有する被膜（反射透過膜）を被覆してなるものであってもよい。この場合、必要に応じて、上記のような材料で構成された導光部材と波長選択型の反射透過膜とを組み合わせてもよい。これにより、光損失を確実に抑えることができ、光をより有効に利用することができる。
【００３２】
また、反射透過部（第１の反射透過部７７、第２の反射透過部７８）は、上記のような被膜を設けず、導光部材７の表面（例えば、導光部材７と雰囲気である空気との界面）における屈折率の差によって、光を一部反射し一部透過させるものであってもよい。これによれば、反射透過部（第１の反射透過部７７、第２の反射透過部７８）の構成を、より単純なものとすることができる。
【００３３】
また、図示の構成では、導光部材７は、文字板６と太陽電池８との間に配された部分において、端部付近の厚さに比べて中央部付近の厚さが薄いものである。このような構成であることにより、光入射部７５から入射した光を、より効率よく、文字板６および太陽電池８に導くことができる。その結果、時計１の美的外観を特に優れたものとすることができるとともに、太陽電池８による発電効率の更なる向上を図ることができる。
【００３４】
また、図示の構成では、板状体７３において、一方の面は、他方の面に対して傾斜している。より具体的には、板状体７３の下面が、円錐面である。このような構成であることにより、光入射部７５から入射した光を、より効率よく、文字板６および太陽電池８に導くことができる。その結果、時計１の美的外観を特に優れたものとすることができるとともに、太陽電池８による発電効率の更なる向上を図ることができる。
【００３５】
また、図示のように、本実施形態では、特に、導光部材７の外周面は、環状体７２の上面（光入射部７５）の法線方向に対して所定角度だけ傾斜した傾斜面となっており、この傾斜面が入射した光を反射する反射面７６として機能する。すなわち、光入射部７５から入射した光を、一旦、反射面７６（環状体７２の上面の法線方向に対して所定角度だけ傾斜した傾斜面としての反射面７６）で反射した後に、第１の反射透過部７７、第２の反射透過部７８に導くように構成されている。これにより、光入射部７５から入射した光を、効率よく、第１の反射透過部７７、第２の反射透過部７８に導くことができるため、導光部材７における光損失光の減衰等による光損失を好適に防止することができ、入射した光を、時計１の美的外観の向上、太陽電池における発電に効率よく利用することができる。環状体７２の上面（光入射部７５）の法線方向と傾斜面（反射面７６）とのなす角としての傾斜角（図中のθ）は、特に限定されないが、１０〜４５°であるのが好ましく、２０〜４０°であるのがより好ましい。
これにより、反射面７６における光の反射の効率を特に優れたものとすることができる。なお、反射面７６は、図示の構成において、平面状に設けられているが、曲面状に設けられたものであってもよい。
【００３６】
反射面７６は、例えば、理論的に全反射が生じるように傾斜角θを設定されたものであってもよいが、傾斜面上に、金属材料等の高反射率材料で構成された被膜で被覆されたものであってもよい。これにより、理論的に全反射を生じないような角度から入射した光についても、効率よく反射することができ、反射面７６における光の反射の効率を、より確実に優れたものとすることができる。
【００３７】
被膜は、いかなる材料で構成されたものであってもよいが、金属材料（合金を含む）で構成されたものであるのが好ましい。金属材料は、一般に、光の反射率が特に高いものであるとともに、金属光沢を有しており、反射した光に高級感を与えることができる。その結果、時計１の美的外観を特に優れたものとすることができる。
被膜を構成する金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈや、これらのうち少なくとも１種を含む合金が挙げられる。被膜は、上記のような材料の中でも特に、Ａｇ、Ｃｒ、Ａｕ、Ａｌ、Ｔｉ、Ｓｎ、Ｉｎから選択される少なくとも１種を含む材料（合金を含む）で構成されたものであるのが好ましい。
【００３８】
太陽電池８は、光エネルギーを電気エネルギーに変換する機能を有する。そして、太陽電池で変換された電気エネルギーは、ムーブメントの駆動等に利用される。
太陽電池８は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００３９】
上述したように、時計１においては、文字板６の表面に入射した光の一部が透過し、太陽電池８に向けて照射されるとともに、導光部材７から導かれた光も太陽電池８に照射される。このように、時計１においては、十分な照射量を容易に確保することができるため、太陽電池８が比較的薄型のものであっても、十分な発電を行うことができる。これにより、時計１の薄型化に寄与することができる。太陽電池８の厚さは、特に限定されないが、１〜１００μｍであるのが好ましい。
【００４０】
ムーブメント９は、太陽電池８の発電により生じた電力によって、時針１０１、分針１０２および秒針１０３を駆動する機構を内蔵しており、各針（時針１０１、分針１０２および秒針１０３）を駆動する軸が文字板６等の中央の孔を貫通する位置に保持されている。
図１中では省略しているが、ムーブメント９内には、例えば、太陽電池８の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
【００４１】
また、ムーブメント９は、図示しない電波受信用のアンテナを備えている。そして、受信した電波を用いて時刻調整等を行う機能を有している。
上述したように、時計１では、文字板６の外周部に照射される光を、導光部材７によって太陽電池８に導くことで、太陽電池８における発電に十分な光を供給することができ、太陽電池８による発電量を十分に確保することができる。また、導光部材７によって光を導いて文字板６を裏面側から照らすことで、文字板６を明るく表示することができる。これにより、文字板６を介して、文字板６の下方に位置する太陽電池８の自色が透けて見えるのを効果的に防止することができる。その結果、多様なデザイン表現が可能であり、高級感のある模様、質感、外観品質を向上させ、商品性に優れた時計を提供することができる。
【００４２】
また、上述した時計１は、腕時計である。本発明の効果は、腕時計に限らず、あらゆる時計において、得られるものであるが、腕時計に適用した場合に、より顕著な効果が得られる。すなわち、腕時計は、一般に、使用される環境の条件が一定ではなく、様々な環境下において優れた装飾性、実用性が求められるものである。そして、特に、ソーラー腕時計は、各種ソーラー時計の中でも、優れた装飾性が求められるものであるとともに、太陽電池において十分な発電が行なわれることが求められるものである。したがって、本発明は、各種時計（ソーラー時計）の中でも、特に、腕時計に好適に適用することができる。
【００４３】
次に、時計１が備える文字板６の好適な具体例について、詳細に説明する。
図２は、本発明の時計が備える文字板の好適な実施形態を示す断面図である。
図２に示すように、文字板６は、ガラス繊維シート６２と、第１の膜６３と、第２の膜６４とを有している。文字板６は、時計１に適用される場合等において、第１の膜６３が設けられた面側、第２の膜６４が設けられた面側のうち、いずれかが、外表面側となるようにして用いられるものであるが、以下の説明では、第２の膜６４が設けられた面側が外表面側となるようにして用いられるものとして説明する。
【００４４】
［ガラス繊維シート］
ガラス繊維シート６２は、主としてガラス繊維で構成されたものである。
ガラス繊維シート６２は、外光を乱反射させる機能を有していること等から、光沢感のある白色の外観を呈する。このようなガラス繊維シート６２により、文字板６の美的外観を特に優れたものとすることができる。
【００４５】
また、ガラス繊維シート６２を備えるものであることにより、文字板６は、立体的な質感を持つものとなり、従来にない優れた外観を有するものとなる。
また、ガラス繊維を構成するガラス材料は、一般に、電磁波（電波、光）の透過性（電磁波透過性）に優れている。また、ガラス繊維シート６２は、一般に、ガラス繊維−ガラス繊維間に空隙を有しているため、特に優れた電磁波（電波、光）透過性を有している。
【００４６】
ガラス繊維の構成材料としては、例えば、ソーダガラス、結晶性ガラス、石英ガラス、鉛ガラス、カリウムガラス、ホウケイ酸ガラス、無アルカリガラス等が挙げられる。
ガラス繊維の構成材料の屈折率（絶対屈折率）は、特に限定されないが、１．４０〜１．７０であるのが好ましく、１．４５〜１．６５であるのがより好ましく、１．５０〜１．６０であるのがさらに好ましい。ガラス繊維の構成材料の屈折率が前記範囲内の値であると、電磁波（電波、光）の透過性を十分に優れたものとしつつ、文字板６の美的外観を特に優れたものとすることができる。
【００４７】
また、ガラス繊維シート６２を構成するガラス繊維の太さは、特に限定されないが、１〜２０μｍであるのが好ましく、２〜１５μｍであるのがより好ましく、４〜１３μｍであるのがさらに好ましい。ガラス繊維の太さが前記範囲内の値であると、電磁波（電波、光）の透過性を十分に優れたものとしつつ、文字板６の美的外観を特に優れたものとすることができる。また、ガラス繊維シート６２の、第１の膜６３、第２の膜６４に対する密着性を特に優れたものとすることができ、また、文字板６の機械的強度（変形に対する安定性）等を特に優れたものとすることができる。その結果、文字板６の耐久性は特に優れたものとなる。これに対し、ガラス繊維の太さが前記下限値未満であると、文字板６としての美的外観が低下するとともに、電磁波（電波、光）透過性も低下してしまう。一方、ガラス繊維の太さが前記上限値を超えると、文字板６としての美的外観が低下する（特に、白色度の高い高級感あふれる外観を得るのが困難になる）とともに、外観のバリエーションの幅が狭くなる。また、第１の膜６３、第２の膜６４との密着性についても低下する傾向が現れる。
【００４８】
また、ガラス繊維シート６２の面密度は、特に限定されないが、２０〜５００ｇ／ｍ２であるのが好ましく、４０〜４００ｇ／ｍ２であるのがより好ましく、１００〜３００ｇ／ｍ２であるのがさらに好ましい。ガラス繊維シート６２の面密度が前記範囲内の値であると、電磁波（電波、光）の透過性を十分に優れたものとしつつ、文字板６の美的外観を特に優れたものとすることができる。また、ガラス繊維シート６２の、第１の膜６３、第２の膜６４に対する密着性を特に優れたものとすることができ、また、文字板６の機械的強度（変形に対する安定性）等を特に優れたものとすることができる。その結果、文字板６の耐久性は特に優れたものとなる。
【００４９】
ガラス繊維シート６２の厚さは、特に限定されないが、３０〜５００μｍであるのが好ましく、５０〜４００μｍであるのがより好ましく、８０〜３００μｍであるのがさらに好ましい。ガラス繊維シート６２の厚さが前記範囲内の値であると、文字板６の美的外観および耐久性を十分に優れたものとしつつ、電磁波（電波、光）の透過性を特に優れたものとすることができる。これに対し、ガラス繊維シート６２の厚さの前記下限値未満であると、ガラス繊維シート６２の構成材料等によっては、文字板６の美的外観を十分に優れたものとするのが困難になる。また、ガラス繊維シート６２の厚さの前記下限値未満であると、後述する第１の領域６２３、第２の領域６２４を十分な厚さで設けることが困難となり、その結果、文字板６の耐久性を十分に高めるのが困難になる可能性がある。一方、ガラス繊維シート６２の厚さが前記上限値を超えると、文字板６全体としての厚さが大きくなり、時計１に適用した場合、時計１の薄型化にとって不利となる。また、ガラス繊維シート６２の厚さが前記上限値を超えると、ガラス繊維シート６２の構成材料等によっては、文字板６としての電磁波の透過率が低下する可能性がある。
【００５０】
また、ガラス繊維シート６２は、例えば、平織、綾織、朱子織、からみ織、模紗織等、いかなる織組織で構成されたものであってもよく、また、織られたものではない不織布のようなものでもよい。中でも、織組織で構成されたものであるのが好ましく、平織で織られた織組織で構成されたものであるのがより好ましい。これにより、文字板６の美的外観を特に優れたものとすることができる。
【００５１】
ガラス繊維シート６２の一方の主面である第１の面６２１側には、第１の膜６３が設けられている。また、ガラス繊維シート６２の他方の主面（第１の面６２１とは反対側の主面）である第２の面６２２側には、第２の膜６４が設けられている。
そして、ガラス繊維シート６２は、第１の面６２１の表面付近に、第１の膜６３の少なくとも一部が入り込んだ第１の領域６２３を有しており、また、第２の面６２２の表面付近に、第２の膜６４の少なくとも一部が入り込んだ第２の領域６２４を有している。
【００５２】
このように、ガラス繊維シートの表面が膜で被覆されることにより、文字板は機械的強度に優れたものとなる。そして、本実施形態では、膜がガラス繊維シートの厚さ方向の一部に入り込んでいるため、ガラス繊維シートと膜との密着性は優れたものとなる。特に、ガラス繊維シートにおいては、ガラス繊維が絡み合っているため、ガラス繊維−ガラス繊維間等に膜が入り込むことにより、アンカー効果が効果的に発揮され、ガラス繊維シートと膜との密着性は特に優れたものとなる。このため、長期間にわたって安定的に優れた機械的強度を保持することができる。また、ガラス繊維シートの表面が膜（第１の膜および第２の膜）で被覆され、ガラス繊維シートの厚さ方向の一部に膜が入り込んだ構成を有することにより、ガラス繊維シートを構成するガラス繊維がほつれるのを効果的に防止することができる。その結果、ガラス繊維のほつれによる文字板の美的外観の低下を長期間にわたって確実に防止することができる。また、ほつれたガラス繊維によるムーブメント等への悪影響の発生を確実に防止することができ、時計の信頼性を特に優れたものとすることができる。
【００５３】
また、ガラス繊維シートの表面に膜が設けられることにより、以下のような効果も得られる。すなわち、ガラス繊維シートは、多数のガラス繊維で構成されているため、そのままでは、表面に比較的大きな凹凸があり、印刷、植字（植時）、時字の貼着等の処理が困難であり、また、これらの密着性を十分に高めるのが困難であるため、文字板に適用するのは困難であったが、上記のようにガラス繊維シートの表面に膜を設けることにより、上記のような処理を容易かつ確実に行うことができる。
【００５４】
また、このような膜（少なくともその一部がガラス繊維シートの厚さ方向の一部に入り込んだ膜）は、ガラス繊維シートの両面側に設けられている。このため、温度変化等が生じた場合等においても、膜の構成材料と、ガラス繊維シートの構成材料との間での熱膨張係数の違い等による文字板の反り等の発生を効果的に防止することができる。すなわち、ガラス繊維シートの両面側に膜を有することにより、文字板の形状の安定性を優れたものとすることができる。
【００５５】
第１の領域６２３の厚さは、ガラス繊維シート６２の厚さ、第２の領域６２４の厚さ等により異なるが、０．１〜１４０μｍであるのが好ましく、０．２〜８０μｍであるのがより好ましく、０．５〜３０μｍであるのがさらに好ましい。第１の領域６２３の厚さが前記範囲内の値であると、文字板６の美的外観を十分に優れたものとしつつ、ガラス繊維シート６２と第１の膜６３との密着性を特に優れたものとすることができ、文字板６の耐久性（機械的強度、形状の安定性等）を特に優れたものとすることができる。これに対し、第１の領域６２３の厚さが前記下限値未満であると、第１の膜６３の構成材料等によっては、ガラス繊維シート６２と第１の膜６３との密着性を十分に高めることが困難となり、文字板６の耐久性を十分に高めることが困難となる。一方、第１の領域６２３の厚さが前記上限値を超えると、ガラス繊維シート６２の厚さ、第２の領域６２４の厚さ等によっては、後述する第３の領域６２５の厚さが小さくなり、文字板６そのものの美的外観が低下する傾向を示す。
【００５６】
また、第２の領域６２４の厚さは、ガラス繊維シート６２の厚さ、第１の領域６２３の厚さ等により異なるが、０．１〜１４０μｍであるのが好ましく、０．２〜８０μｍであるのがより好ましく、０．５〜３０μｍであるのがさらに好ましい。第２の領域６２４の厚さが前記範囲内の値であると、文字板６の美的外観を十分に優れたものとしつつ、ガラス繊維シート６２と第２の膜６４との密着性を特に優れたものとすることができ、文字板６の耐久性（機械的強度、形状の安定性等）を特に優れたものとすることができる。これに対し、第２の領域６２４の厚さが前記下限値未満であると、第２の膜６４の構成材料等によっては、ガラス繊維シート６２と第２の膜６４との密着性を十分に高めることが困難となり、文字板６の耐久性を十分に高めることが困難となる。一方、第２の領域６２４の厚さが前記上限値を超えると、ガラス繊維シート６２の厚さ、第１の領域６２３の厚さ等によっては、後述する第３の領域６２５の厚さが小さくなり、文字板６の美的外観が低下する傾向を示す。
【００５７】
また、ガラス繊維シート６２は、上記のような第１の領域６２３、第２の領域６２４に加え、第１の領域６２３と第２の領域６２４との間には、第１の膜６３および第２の膜６４が入り込んでいない第３の領域（空気層）６２５を有している。第３の領域６２５において、ガラス繊維シート６２を構成するガラス繊維は、通常、空気等の雰囲気に覆われている。このような雰囲気は、一般に、ガラス繊維を構成する材料よりも十分に小さい屈折率（１．００１程度）を有している。
【００５８】
このように、ガラス繊維シートが、その厚さ方向に、膜の構成材料が入り込んでいない領域（第３の領域）を有することにより、外光を効果的に乱反射させること等ができ、文字板の美的外観を特に優れたものとすることができる。これに対し、第３の領域を有していないと、外光の乱反射等を効果的に行うことができず、ガラス繊維シートが有する、優れた美的外観を十分に発揮させることが困難となる。より詳しく説明すると、第３の領域を有していないと、文字板自体の透明性が高くなりすぎてしまい、文字板の一方の面（主面）側を見た場合、文字板を介して、その反対の面（主面）側の様子まで見えてしまう可能性がある。これは、第１の膜６３、第２の膜６４の構成材料は、一般に、空気等の気体に比べて十分に大きな屈折率を有しており、通常、ガラス繊維の屈折率との差の小さい屈折率を有しているため、ガラス繊維による外光の乱反射等を防止してしまうためであると考えられる。また、上記のような問題を防止する目的で、文字板の構成材料として比較的多量の着色剤等を用いることも考えられるが、このような場合、文字板としての光の透過率が低下してしまう。
【００５９】
第３の領域６２５の厚さは、特に限定されないが、５〜２８０μｍであるのが好ましく、３０〜２６０μｍであるのがより好ましく、７９〜２４５μｍであるのがさらに好ましい。第３の領域６２５の厚さが前記範囲内の値であると、文字板６の耐久性を十分に優れたものとしつつ、文字板６の美的外観を特に優れたものとすることができる。これに対し、第３の領域６２５の厚さが前記下限値未満であると、第２の膜６４の構成材料、厚さ等によっては、文字板６の美的外観を十分に優れたものとするのが困難になる可能性がある。一方、第３の領域６２５の厚さが前記上限値を超えると、ガラス繊維シート６２の厚さ等によっては、第１の領域６２３、第２の領域６２４の厚さを十分に大きくすることが困難となり、文字板６の耐久性を十分に高めるのが困難となる。また、第３の領域６２５の厚さが前記上限値を超える場合において、第１の領域６２３、第２の領域６２４の厚さを大きくするために、ガラス繊維シート６２の厚さを大きいものとすることも考えられるが、このような場合、文字板６全体としての厚さが大きくなり、例えば、時計１の薄型化にとって不利となる。
【００６０】
［第１の膜］
第１の膜６３は、いかなる材料で構成されるものであってもよいが、透明性の高い材料（例えば、可視光の透過率が６０％以上の材料）で構成されているのが好ましく、特に、各種プラスチック材料等の有機系高分子材料で構成されたものであるのが好ましい。これにより、文字板６の美的外観を十分に優れたものとしつつ、電磁波（電波、光）の透過性を特に優れたものとすることができる。また、第１の膜６３とガラス繊維シート６２との密着性を特に優れたものとすることができ、文字板６の耐久性を特に優れたものとすることができる。
【００６１】
第１の膜６３を構成する有機系高分子材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００６２】
また、第１の膜６３は、例えば、複数の層を有する積層体や、その組成が厚さ方向に順次変化するもの（傾斜材料）であってもよい。第１の膜６３がこのような構成を有するものであることにより、例えば、第１の膜６３を構成する複数種の材料の特長をより効果的に発揮させることができる。より具体的には、例えば、第１の膜６３のうち、ガラス繊維シート６２に入り込む部位（第１の部位）を構成する材料と、ガラス繊維シート６２に入り込まない部位（第２の部位）を構成する材料との組み合わせを選択することにより、第１の膜６３のガラス繊維シート６２に対する密着性を特に優れたものとしつつ、文字板６の耐久性（形状の安定性、機械的強度等）を特に優れたものとすることができる。
【００６３】
第１の膜６３が上記のような構成を有するもの（積層体や傾斜材料）である場合、ガラス繊維シート６２に入り込む領域（第１の部位）が、粘接着剤成分（粘着剤または接着剤）を含む材料で構成されたものであり、かつ、前記領域よりも外表面側の領域（第２の部位）が、ポリカーボネート（ＰＣ）、アクリル樹脂、アクリロニトリル−ブタジエン−スチレン共重合体（ＡＢＳ樹脂）から選択される少なくとも１種を含む材料で構成されたものであるのが好ましい。第１の膜６３がこのような材料で構成されたものであると、前述した効果をより顕著に発揮させることができる。
【００６４】
また、粘接着剤成分としては、例えば、ポリエステル（ポリエステル系系粘接着剤）、ウレタン系樹脂（ウレタン系粘接着剤）、アクリル系樹脂等で構成されたものが挙げられるが、中でも、アクリル系樹脂（アクリル系粘接着剤）が好ましい。アクリル系樹脂（アクリル系粘接着剤）は、前述したガラス繊維シート６２の構成材料、第２の部位の構成材料との親和性が特に高いため、第１の部位の、ガラス繊維シート６２や第２の部位に対する密着性を特に優れたものとすることができ、その結果、ガラス繊維シート６２と第１の膜６３との密着性を特に優れたものとすることができる。また、アクリル樹脂（アクリル系粘接着剤）は、特に優れた耐光性と耐薬品性を有しており、文字板６全体の耐久性を向上させることができる。なお、文字板６の製造においては、粘接着剤成分として、例えば、液状の粘接着剤や、粘着シート、粘着テープ、熱圧着テープ、熱圧着シート等、いかなる形態のものを用いてもよい。
【００６５】
また、ポリカーボネートは、各種プラスチック材料の中でも比較的安価で、文字板６の生産コストのさらなる低減に寄与することができる。また、アクリル樹脂は、特に優れた耐光性と耐薬品性を有しており、文字板６全体の耐久性を向上させることができる。ＡＢＳ樹脂は、特に優れた耐薬品性も有しており、文字板６全体としての耐久性をさらに向上させることができる。
なお、第１の膜６３は、上記以外の成分を含むものであってもよい。このような成分としては、例えば、可塑剤、酸化防止剤、着色剤（各種発色剤、顔料、染料、蛍光物質、りん光物質等を含む）、光沢剤、フィラー等が挙げられる。
【００６６】
第１の膜６３の構成材料の屈折率（絶対屈折率）は、特に限定されないが、１．３５〜１．７であるのが好ましく、１．４５〜１．６であるのがより好ましい。
また、第１の膜６３は、各部位でその組成が実質的に均一な組成を有するものであってもよいし、部位によって組成の異なるものであってもよい。例えば、第１の膜６３は、基部と、該基部上に設けられた表面層を有するものであってもよい。第１の膜６３がこのような構成のものであることにより、例えば、文字板６全体としての形状の安定性、機械的強度等を特に優れたものとしつつ、第１の膜６３のガラス繊維シート６２に対する密着性をさらに優れたものとすることができる。
【００６７】
また、第１の膜６３の厚さは、特に限定されないが、５０〜３００μｍであるのが好ましく、１００〜２８０μｍであるのがより好ましく、１５０〜２８０μｍであるのがさらに好ましい。第１の膜６３の厚さが前記範囲内の値であると、文字板６の電磁波（電波、光）の透過性を十分に優れたものとしつつ、文字板６の美的外観および耐久性を特に優れたものとすることができる。また、第１の膜６３の厚さが前記範囲内の値であると、例えば、文字板６において、第１の膜６３は、ガラス繊維シート６２、第２の膜６４を支持する基板（基部）としての機能を十分に発揮することができる。これに対し、第１の膜６３の厚さが前記下限値未満であると、文字板６の機械的強度、形状の安定性等を十分に優れたものとすることが困難となり、文字板６の耐久性を十分に優れたものとするのが困難になる可能性がある。一方、第１の膜６３の厚さが前記上限値を超えると、第１の膜６３の構成材料等によっては、文字板６の美的外観を十分に優れたものとするのが困難になる可能性がある。また、第１の膜６３の厚さが前記上限値を超えると、第１の膜６３の構成材料等によっては、第１の膜６３の内部応力が高くなり、文字板６としての形状の安定性が低下する可能性がある。
【００６８】
また、第１の膜６３が上述したような第１の部位と第２の部位とを有するもの（例えば、積層体、傾斜材料等）である場合、第１の部位の厚さは、特に限定されないが、１〜１２５μｍであるのが好ましく、５〜１００μｍであるのがより好ましく、７〜８０μｍであるのがさらに好ましい。また、第２の部位の厚さは、特に限定されないが、４９〜２４０μｍであるのが好ましく、８５〜２２０μｍであるのがより好ましく、９５〜２１０μｍであるのがさらに好ましい。このような条件を満足することにより、上記のような効果はさらに顕著なものとして発揮される。
【００６９】
第１の膜６３は、少なくともその一部が、ガラス繊維シート６２内に入り込んでいればよく、例えば、第１の膜６３の厚さ方向のほぼ全体がガラス繊維シート６２内に入り込んでいてもよいが、図示の構成では、ガラス繊維シート６２内に入り込んでいない部分を有している。これにより、文字板表面が平坦になり植字、印刷、塗装等の意匠をつけることが容易になるという効果が得られる。
【００７０】
［第２の膜］
第２の膜６４は、いかなる材料で構成されるものであってもよいが、透明性の高い材料（例えば、可視光の透過率が６０％以上の材料）で構成されているのが好ましく、特に、各種プラスチック材料等の有機系高分子材料で構成されたものであるのが好ましい。これにより、文字板６の美的外観を十分に優れたものとしつつ、電磁波（電波、光）の透過性を特に優れたものとすることができる。また、第２の膜６４とガラス繊維シート６２との密着性を特に優れたものとすることができ、文字板６の耐久性を特に優れたものとすることができる。
【００７１】
第２の膜６４を構成する有機系高分子材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００７２】
また、第２の膜６４は、例えば、複数の層を有する積層体や、その組成が厚さ方向に順次変化するもの（傾斜材料）であってもよい。第２の膜６４がこのような構成を有するものであることにより、例えば、第２の膜６４を構成する複数種の材料の特長をより効果的に発揮させることができる。より具体的には、例えば、第２の膜６４のうち、ガラス繊維シート６２に入り込む部位（第１の部位）を構成する材料と、ガラス繊維シート６２に入り込まない部位（第２の部位）を構成する材料との組み合わせを選択することにより、第２の膜６４のガラス繊維シート６２に対する密着性を特に優れたものとしつつ、文字板６の耐久性（形状の安定性、機械的強度等）を特に優れたものとすることができる。
【００７３】
第２の膜６４が上記のような構成を有するもの（積層体や傾斜材料）である場合、ガラス繊維シート６２に入り込む領域（第１の部位）が、粘接着剤成分（粘着剤または接着剤）を含む材料で構成されたものであり、かつ、前記領域よりも外表面側の領域（第２の部位）が、ポリカーボネート（ＰＣ）、アクリル樹脂、アクリロニトリル−ブタジエン−スチレン共重合体（ＡＢＳ樹脂）から選択される少なくとも１種を含む材料で構成されたものであるのが好ましい。第２の膜６４がこのような材料で構成されたものであると、前述した効果をより顕著に発揮させることができる。
【００７４】
また、粘接着剤成分としては、例えば、ポリエステル（ポリエステル系系粘接着剤）、ウレタン系樹脂（ウレタン系粘接着剤）、アクリル系樹脂等で構成されたものが挙げられるが、中でも、アクリル系樹脂（アクリル系粘接着剤）が好ましい。アクリル系樹脂（アクリル系粘接着剤）は、前述したガラス繊維シート６２の構成材料、第２の部位の構成材料との親和性が特に高いため、第１の部位の、ガラス繊維シート６２や第２の部位に対する密着性を特に優れたものとすることができ、その結果、ガラス繊維シート６２と第２の膜６４との密着性を特に優れたものとすることができる。また、アクリル樹脂（アクリル系粘接着剤）は、特に優れた耐光性と耐薬品性を有しており、文字板６全体の耐久性を向上させることができる。なお、文字板６の製造においては、粘接着剤成分として、例えば、液状の粘接着剤や、粘着シート、粘着テープ、熱圧着テープ、熱圧着シート等、いかなる形態のものを用いてもよい。
【００７５】
また、ポリカーボネートは、各種プラスチック材料の中でも比較的安価で、文字板６の生産コストのさらなる低減に寄与することができる。また、アクリル樹脂は、特に優れて耐光性と耐薬品性を有しており、文字板６全体の耐久性を向上させることができる。ＡＢＳ樹脂は、特に優れた耐薬品性も有しており、文字板６全体としての耐久性をさらに向上させることができる。
なお、第２の膜６４は、上記以外の成分を含むものであってもよい。このような成分としては、例えば、可塑剤、酸化防止剤、着色剤（各種発色剤、顔料、染料、蛍光物質、りん光物質等を含む）、光沢剤、フィラー等が挙げられる。
【００７６】
第２の膜６４の構成材料の屈折率（絶対屈折率）は、特に限定されないが、１．３５〜１．７であるのが好ましく、１．４５〜１．６であるのがより好ましい。
また、第２の膜６４は、各部位でその組成が実質的に均一な組成を有するものであってもよいし、部位によって組成の異なるものであってもよい。例えば、第２の膜６４は、基部と、該基部上に設けられた表面層を有するものであってもよい。第２の膜６４がこのような構成のものであることにより、例えば、文字板６全体としての形状の安定性、機械的強度等を特に優れたものとしつつ、第２の膜６４のガラス繊維シート６２に対する密着性をさらに優れたものとすることができる。
【００７７】
また、第２の膜６４の厚さは、特に限定されないが、５０〜３００μｍであるのが好ましく、１００〜２８０μｍであるのがより好ましく、１５０〜２８０μｍであるのがさらに好ましい。第２の膜６４の厚さが前記範囲内の値であると、文字板６の電磁波（電波、光）の透過性を十分に優れたものとしつつ、文字板６の美的外観および耐久性を特に優れたものとすることができる。これに対し、第２の膜６４の厚さが前記下限値未満であると、文字板６の機械的強度、形状の安定性等を十分に優れたものとすることが困難となり、文字板６の耐久性を十分に優れたものとするのが困難になる可能性がある。一方、第１の膜の厚さが前記上限値を超えると、第２の膜６４の構成材料等によっては、文字板６の美的外観を十分に優れたものとするのが困難になる可能性がある。また、第２の膜６４の厚さが前記上限値を超えると、第２の膜６４の構成材料等によっては、第２の膜６４の内部応力が高くなり、文字板６としての形状の安定性が低下する可能性がある。
【００７８】
また、第２の膜６４が上述したような第１の部位と第２の部位とを有するもの（例えば、積層体、傾斜材料等）である場合、第１の部位の厚さは、特に限定されないが、１〜１２５μｍであるのが好ましく、５〜１００μｍであるのがより好ましく、７〜８０μｍであるのがさらに好ましい。また、第２の部位の厚さは、特に限定されないが、４０〜２４０μｍであるのが好ましく、５０〜２２０μｍであるのがより好ましく、７０〜２１０μｍであるのがさらに好ましい。このような条件を満足することにより、上記のような効果はさらに顕著なものとして発揮される。
【００７９】
第２の膜６４は、少なくともその一部が、ガラス繊維シート６２内に入り込んでいればよく、例えば、第２の膜６４の厚さ方向のほぼ全体がガラス繊維シート６２内に入り込んでいてもよいが、図示の構成では、ガラス繊維シート６２内に入り込んでいない部分を有している。これにより、文字板６の第２の膜６４が設けられた面側に、印刷、植字（植時）、時字の貼着等の処理を容易かつ確実に施すことができる。
【００８０】
上記のような文字板６の厚さは、特に限定されないが、３００〜７００μｍであるのが好ましく、４５０〜７００μｍであるのがより好ましく、４８０〜６００μｍであるのがさらに好ましく、４８０〜５２０μｍであるのがもっとも好ましい。文字板６の厚さが前記範囲内の値であると、電磁波（電波、光）の透過性を十分に優れたものとしつつ、文字板６の美的外観および耐久性を特に優れたものとすることができ、時計を製造した際にも時計厚みの自由度を狭めることなく製造できる。
【００８１】
文字板６の光の透過率は、２０％以上であるのが好ましく、２２〜５０％であるのがより好ましく、２５〜４０％であるのがさらに好ましい。
また、文字板６は、着色剤を含む材料で構成されたものであってもよい。上述したように、文字板６は、ガラス繊維シート６２を備えたものである。ガラス繊維を構成するガラス材料は、それ自体は本来無色であり、このようなガラス材料で構成されたガラス繊維シートは、（光沢感のある）白色を呈する。したがって、着色剤を用いることにより、色のバリエーションの広い文字板６を提供することができる。このような着色剤は、文字板６のいかなる部分に含まれるものであってもよく、例えば、着色剤は、ガラス繊維シート６２の構成成分として含まれるものであってよいし、第１の膜６３の構成成分として含まれるものであってよいし、第２の膜６４の構成成分として含まれるものであってよい。
【００８２】
上記の説明では、文字板が、ガラス繊維シートと、第１の膜と、第２の膜とで構成されるものとして説明したが、これら以外に、さらなる構成を有するものであってもよい。例えば、文字板は、第２の膜上（第１の膜に対向する面とは反対の面側）にコート層を有していてもよい。これにより、例えば、文字板全体としての、耐候性、耐水性、耐油性、耐擦傷性、耐摩耗性、耐変色性等の各種特性を向上させることができる。その結果、文字板としての耐久性を特に優れたものとすることができる。このようなコート層は、例えば、第１の膜上（第１の膜に対向する面とは反対の面側）に設けてもよい。
【００８３】
上述したような文字板６は、例えば、第１の膜６３と、ガラス繊維シート６２と、第２の膜６４とを、この順で重ね合わせた状態で、加圧したり、加熱したり、加圧しつつ加熱すること等により製造することができる。また、ガラス繊維シート６２と一方の膜（第１の膜６３または第２の膜６４）とを接合した後、ガラス繊維シート６２の前記膜が接合された面側とは反対側において、他方の膜（第２の膜６４または第１の膜６３）を接合することにより製造することもできる。なお、第１の領域６２３、第２の領域６２４の厚さ等は、例えば、加圧圧力、加熱温度等を調整することにより、所望の値とすることができる。
【００８４】
なお、上記のような方法で製造する場合、製造に用いる第１の膜６３は、ガラス繊維シート６２よりも剛性の高いものであるのが好ましい。これにより、文字板６の形状の安定性等を特に優れたものとすることができる。また、第１の膜６３として上述したような積層体を用いる場合、第１の膜６３の第２の部位（第２の層）は、ガラス繊維シート６２よりも剛性の高いものであるのが好ましい。これにより、上述したような効果を十分に発揮しつつ、文字板６の形状の安定性等を特に優れたものとすることができる。
【００８５】
また、上記のような方法で製造する場合、製造に用いる第２の膜６４は、ガラス繊維シート６２よりも剛性の高いものであるのが好ましい。これにより、文字板６の形状の安定性等を特に優れたものとすることができる。また、第２の膜６４として上述したような積層体を用いる場合、第２の膜６４の第２の部位（第２の層）は、ガラス繊維シート６２よりも剛性の高いものであるのが好ましい。これにより、上述したような効果を十分に発揮しつつ、文字板６の形状の安定性等を特に優れたものとすることができる。
【００８６】
上記のように、図示の文字板６は、それ自体が、優れた美的外観と、優れた光透過性とを有するものである。そして、時計１は、上述したような導光部材７を備えている。このため、文字板６そのものの優れた外観に加え、導光部材７による効果が相乗的に作用し合い、時計１全体としての美的外観は非常に優れたものとなる。特に、外光を太陽電池に効率よく照射させつつ、美的外観を非常に優れたものとすることができる。
【００８７】
次に、本発明の時計の他の実施形態について説明する。
図３、図４、図５は、本発明の時計の他の好適な実施形態を示す部分断面図である。
以下、各実施形態の時計について、前述した実施形態との相違点を中心に説明し、同様の事項はその説明を省略する。
図３に示す時計１では、板状体７３の下面が曲面である。ここでは、曲面は単調曲面とされている。このように、板状体７３の下面が曲面である場合、光入射部７５から入射した光を、より効率よく、文字板６および太陽電池８に導くことができる。その結果、時計１の美的外観を特に優れたものとすることができるとともに、太陽電池８による発電効率の更なる向上を図ることができる。特に、板状体７３の下面を曲面とすることにより、文字板６の各部位において、好適な輝度分布をもたせることができる。これにより、時計１の装飾性（美的外観）を特に優れたものとすることができる。
【００８８】
また、図４に示す時計１では、板状体７３の下面が、変極点を持つＳ字曲面である。これにより、光入射部７５から入射した光を、より効率よく、文字板６および太陽電池８に導くことができる。その結果、時計１の美的外観を特に優れたものとすることができるとともに、太陽電池８による発電効率の更なる向上を図ることができる。特に、板状体７３の下面を曲面とすることにより、文字板６の各部位において、好適な輝度分布をもたせることができる。これにより、時計１の装飾性（美的外観）を特に優れたものとすることができる。
【００８９】
また、図５に示す時計１では、板状体７３の上面が円錐面である。このように、板状体７３の下面ばかりでなく、上面を円錐面または曲面としてもよい。このような構成とするにより、光入射部７５から入射した光を、より効率よく、文字板６および太陽電池８に導くことができる。その結果、時計１の美的外観を特に優れたものとすることができるとともに、太陽電池８による発電効率の更なる向上を図ることができる。また、板状体７３の上面を円錐面または曲面とすることで、時計全体の厚さが若干増加するが、立体的な奥行き感を表現することができるとともに、文字板６をより明るく表示することができる。また、文字板６に向けて出射される光に分布をもたせることができ、文字板６において半径方向の輝度変化を付けることができる。これにより、時計の装飾性（美的外観）を特に優れたものとすることができる。
【００９０】
以上、本発明の好適な実施形態について説明したが、本発明は、これらに限定されるものではない。
例えば、前述した実施形態では、導光部材が、文字板が収納される凹部を有しているものとして説明したが、導光部材は、このような凹部を有していなくてもよい。
また、必要に応じて、導光部材を着色してもよい。これにより、文字板の色調を変化させて、デザインの選択の範囲を広げることができる。
【００９１】
また、前述した実施形態では、導光部材は、その一部のみが、文字板と太陽電池との間に位置するように設けられたものとして説明したが、その全体が、文字板と太陽電池との間に位置するように設けられたものであってもよい。
また、前述した実施形態では、時計の一例として、腕時計（携帯時計）を挙げて説明したが、本発明は、例えば、腕時計以外の携帯時計、置時計、掛け時計等の他の種類の時計にも同様に適用することができる。
また、例えば、光入射部の少なくとも一部には、被膜の形成、印刷、部材の貼着等により、マーク等の指標が設けられていてもよい。これにより、時計としての装飾性を特に優れたものとすることができる。
【図面の簡単な説明】
【００９２】
【図１】本発明の時計の好適な実施形態を示す部分断面図である。
【図２】本発明の時計が備える文字板の好適な実施形態を示す断面図である。
【図３】本発明の時計の好適な実施形態を示す部分断面図である。
【図４】本発明の時計の好適な実施形態を示す部分断面図である。
【図５】本発明の時計の好適な実施形態を示す部分断面図である。
【符号の説明】
【００９３】
１…時計（腕時計）  ２…胴（ケース）  ３…裏蓋  ４…ベゼル（縁）  ５…ガラス板（カバーガラス）  ６…文字板  ６２…ガラス繊維シート  ６２１…第１の面  ６２２…第２の面  ６２３…第１の領域  ６２４…第２の領域  ６２５…第３の領域  ６３…第１の膜  ６４…第２の膜  ７…導光部材  ７１…凹部  ７２…環状体  ７３…板状体  ７５…光入射部  ７６…反射面（光反射部）  ７７…第１の反射透過部  ７８…第２の反射透過部  ８…太陽電池  ９…ムーブメント  １０…針（指針）  １０１…時針  １０２…分針  １０３…秒針  １１…巻真パイプ  １２…りゅうず  １２１…軸部  １２２…溝  １３…プラスチックパッキン  １４…プラスチックパッキン  １５…接合部（シール部）  １６…ゴムパッキン（りゅうずパッキン）  １７…ゴムパッキン（裏蓋パッキン）
【図１】
2008139120.tif 000003
【図２】
2008139120.tif 000004
【図３】
2008139120.tif 000005
【図４】
2008139120.tif 000006
【図５】
2008139120.tif 000007